(57)【要約】【課題】災害時などに避難場所に設定される体育館等の大空間を小空間に間仕切る際に最適であり、小空間内におけるプライバシーを確保する機構を有しつつ、その組立作業もきわめて簡易であり、かつ廉価な間仕切りユニットを提供する。【解決手段】間仕切り板２の側辺に連結小孔６を設け、相互に隣接する複数枚の間仕切り板２の対応する連結小孔６に連結ベルト３を刺し通し、それぞれを連結させる。連結部分やコーナ部分などの要所には、間仕切り板２の上下辺に補強フレーム５を嵌入させ、その組立構造を補強する。その際、出入り口部分には、簡易なロック機構１０を備えた開閉扉８が形成された出入り口用間仕切り材７を用いる。【選択図】  図１
2007113366.tif 000002
【特許請求の範囲】
【請求項１】
外形状を矩形とされ、側辺および端辺の少なくとも一方にそれぞれ少なくとも１個の連結小孔が形成された複数枚の間仕切り板と、
前記側辺または端辺を互いに突き合わせるようにして配置された複数枚の間仕切り板の対応する前記連結小孔を貫通させ、前記複数枚の間仕切り板を結束する連結ベルトと、
を備えたことを特徴とする間仕切りユニット。
【請求項２】
前記間仕切り板は紙製強化段ボール板であり、前記連結ベルトは長尺状の平面ファスナであることを特徴とする請求項１に記載の間仕切りユニット。
【請求項３】
前記間仕切り板はプラスチック板であり、前記連結ベルトは長尺状の平面ファスナであることを特徴とする請求項１に記載の間仕切りユニット。
【請求項４】
前記プラスチック板は、コ字状の溝部が形成された保護フレームの前記溝部を、該プラスチック板本体の外周辺の少なくとも一部に嵌入させて一体に形成されていることを特徴とする請求項３に記載の間仕切りユニット。
【請求項５】
コ字状の溝部が形成され、前記溝部を間仕切り板の上辺あるいは下辺に嵌入させて使用する補強フレームを備えたことを特徴とする請求項１乃至請求項４のいずれか１項に記載の間仕切りユニット。
【請求項６】
少なくとも両端部に間仕切り板を嵌入させるコ字状の溝部が形成されたカーテンフレームと、
前記カーテンフレームの中間部に展張可能に配設されるカーテンと
を有するカーテン吊下ユニット
を備えたことを特徴とする請求項１乃至請求項５のいずれか１項に記載の間仕切りユニット。  
【請求項７】
前記カーテンフレームは、解放側端部に間仕切り板を嵌入させるコ字状の溝部が形成された一組の嵌合用フレームを直線状フレームの両端部に一体に配設して形成されていることを特徴とする請求項６に記載の間仕切りユニット。
【請求項８】
縦方向に連接辺が位置し、この連接辺の上下端をそれぞれ起点とするコ字状の切欠きにより、前記連接辺を揺動基部として開閉可能とされた扉部、および前記扉部における前記切欠きの各辺に対向する三方向を囲う外枠部が形成されてなる開閉扉と、
前記外枠部に配設された扉止め受け部と、
前記外枠部の内外両面にそれぞれ配設された固定ロック部、および前記固定ロック部に対応する扉部側に扉部の開閉つまみを兼ねて配設された可動ロック部から構成されたロック機構と
を有する出入り口用間仕切り板を備えたことを特徴とする請求項１乃至請求項７のいずれか１項に記載の間仕切りユニット。
【請求項９】
前記固定ロック部および可動ロック部は、鈎あるいはループが形成された平面ファスナにより構成されていることを特徴とする請求項８に記載の間仕切りユニット。
【発明の詳細な説明】
【技術分野】
【０００１】
本発明は、特に、災害などの緊急時の活用や、各種イベント時などの臨時設置が見込まれる間仕切りユニットであって、屋外の広場やグランド、屋内の大広間や体育館などの施設内部など、大きな空間を簡単に区画し、プライベートな小空間を形成することのできる間仕切りユニットの技術に関する。
【背景技術】
【０００２】
各種フェア、イベント等で屋外の広場やグランド、屋内の大広間や体育館などの施設内部などを小空間に間仕切るべく、２枚の間仕切り板を連結する従来技術として、例えば、仕切り板の周囲に金属パイプなどで枠を設け、連接する前記仕切り板の枠の前記上下角に形成された連結ねじにジョイントをねじ止めして連結する方法（特許文献１）、間仕切り板の側端を嵌入させる溝条凹部を背中合わせに組み合わせ、かつ、下端に立脚のためのベースを設けた間柱（フレーム）を用意し、前記溝条凹部に間仕切り板を嵌入させて連結する方法（特許文献２）、直線（Ｉ字）状、Ｌ字状、Ｔ字状、十字状に成型した溝型継手により、間仕切り板の上下端を挟みこんで連結する方法（特許文献３）などがある。
【０００３】
【特許文献１】特開平０７−２７９２８２号公報
【特許文献２】特開平０８―３０２８６８号公報
【特許文献３】特開２００３−０４９５０２号公報
【発明の開示】
【発明が解決しようとする課題】
【０００４】
ところが、特許文献１の従来技術のように、間仕切り板に枠と連結ねじを形成し、ジョイントをねじ止めする構成の間仕切りユニットは全体の重量が重くなり、連結部分で折れ曲がり易く、万が一、倒れた場合には怪我をする恐れがあるなどの欠点がある。逆に、特許文献２や特許文献３の従来技術のように、フレームや溝型継手を嵌め込んで間仕切り板を連結する構成の間仕切りユニットでは、ちょっとした力の作用で間柱や溝型継手から間仕切り板が簡単に外れてしまうなどの欠点がある。そして、いずれの従来技術も、その組み立てや分解の作業に専門技術を必要とし、また、製作コスト、材料コストも決して安価ではない。よって、災害時などの避難場所に、応急に、簡易かつ大規模に小空間を形成するような用途として最適な構成のものであるとは言い難いものであった。
【０００５】
また、災害時の避難場所ということで考えれば、近年においては、屋内の施設に緊急避難した避難者のプライバシーの保護について検討されており、いかにして、簡単かつ安価に、避難者のプライバシーを保護できる間仕切りを設けるかということが課題となっている。
【０００６】
また、コスト面と安全性から、間仕切り板として段ボール板などを利用することは、前述の従来技術のように、既に検討されていることではあるが、仕切られた各小空間毎の出入り口構造については、段ボール板のような軽量で安価な材料を用いたものであって、しかも、簡便なロック機能を有するものは何ら提案されていなかった。例えば、簡易トイレや更衣室用の小空間を段ボール板の間仕切りで形成する場合を想定できても、その場合の出入り口構造は、例えば、カーテンを配設しただけのものであった。仮に、鍵が掛かる、通常の建具としての扉を用意しようとすれば、自ずと、その建具としての扉を支える支柱を木材や簡易鉄骨などで組立てる工事が必要となり、コストもアップしてしまう。
【０００７】
このように、使用者に安心感を与える程のロック機能を備えた扉を配設する要請はあっても、それを安価に製造することはできなかったため、区画された全ての小空間に扉を配設するということは難しく、プライバシーの保護や、避難者の貴重品の盗難防止などのセキュリティに関するところまで行き届いたケアができなかったという実情があった。
【０００８】
本発明は、従来技術の欠点を改良し、特に災害時のみに限定されるものではないが、災害時に体育館などを災害避難場所とする場合の避難者及び避難家族のプライバシーを保護し、避難場所の居住性（安全性、セキュリティ）の改善に資する目的の下でなされ、各種イベント時などの臨時設営に供する場合にも利便性を発揮するものであり、必要な数、広さ、形状の小空間を自由なレイアウトで簡単かつ迅速に形成することができ、さらには、必要に応じて、小空間の出入り口構造として扉部を配設して前記扉部にロック機能を持たせることで、利用者の安全性や使用の安心感が保障され、しかも、廉価な間仕切りユニットを提供するものである。
【課題を解決するための手段】
【０００９】
以上の目的を達成するため、本発明の間仕切りユニットは、外形状を矩形とされ、側辺および端辺の少なくとも一方にそれぞれ少なくとも１個の連結小孔が形成された複数枚の間仕切り板と、前記側辺または端辺を互いに突き合わせるようにして配置された複数枚の間仕切り板の対応する前記連結小孔を貫通させ、前記複数枚の間仕切り板を結束する連結ベルトとを備えたことを第１の特徴とする。
【００１０】
本発明の間仕切りユニットにより小空間を形成するときには、連接させる複数の仕切り板の連結小孔に連結ベルトを通して複数枚の間仕切り板を結束し、直線状、Ｔ字状、十字状等自在な形状に間仕切り板を配置する。各々の間仕切り板には自立機構は配設されていないが、複数枚の間仕切り板を組み合わせ、１以上のコーナを形成することで、交差する方向に位置する間仕切り同士がお互いを支承し、間仕切り板として起立し、作用するものとなる。
【００１１】
その際、間仕切り板を縦長に配置すれば、歩行者の視線をも遮って、区画された小空間内のプライバシーを保護することができ、横長に配置すれば、小空間の間仕切りや窓に相当する部分の配設など、小空間のレイアウトにさらなるアレンジを加えることが可能となる。
【００１２】
また、本発明の間仕切りユニットにおいて、前記間仕切り板は紙製強化段ボール板であり、前記連結ベルトは長尺状の平面ファスナであることを第２の特徴とする。
【００１３】
間仕切り板として紙製強化段ボール板を用いることで、部材の軽量化、低コスト化を図ることができ、しかも使用後の廃棄処理も焼却処分が可能であり環境にも優しいものとなる。また、連結ベルトとして平面ファスナを用いることにより、部材の軽量化、低コスト化の他、組み立て、連結作業をさらに簡便なものとすることができる。
【００１４】
さらに、本発明の間仕切りユニットは、前記間仕切り板はプラスチック板であり、前記連結ベルトは長尺状の平面ファスナであることを第３の特徴とする。
【００１５】
間仕切り板としてプラスチック板を用いることで、紙製の間仕切り板を使用する場合に比べて水分や温度に耐用を示し、反復利用が可能となるので、長期的な使用を考えれば低コストとなる。特に中空構造を有するプラスチック板を用いれば、さらに、部材の軽量化を図ることができる。また、連結ベルトとして平面ファスナを用いることにより、部材の軽量化、低コスト化の他、組み立て、連結作業をさらに簡便なものとすることができる。更に、プラスチックの種類によっては光をある程度透過できるように形成することができるので、内部を明るくすることができ、例えば、更衣室などとすることが可能である。
【００１６】
そして、本発明の間仕切りユニットは、前記第３の特徴を有する間仕切りユニットであって、前記プラスチック板は、コ字状の溝部が形成された間仕切り用の保護フレームの前記溝部をプラスチック板本体の外周辺の少なくとも一部に嵌入させて一体に形成されていることを第４の特徴とする。
【００１７】
この間仕切りユニットによれば、プラスチック板本体の外周辺に保護フレームを配設することで、利用者をプラスチック板本体の切断部が露呈した状態の外周辺から保護するとともに、プラスチック板の反りを防止し、強度を補うことができる。
【００１８】
また、本発明の間仕切りユニットは、コ字状の溝部が形成され、前記溝部を間仕切り板の上辺あるいは下辺に嵌入させて使用する補強フレームを備えたことを第５の特徴とする。
【００１９】
前述のように、連結小孔に連結ベルトを通して直線状、Ｌ字状、Ｔ字状、十字状等自在に連結された間仕切り板の上辺あるいは下辺、さらには、間仕切り板の連結部における上辺あるいは下辺、窓や出入り口などの開口部を構成する間仕切り板の辺などに補強フレームのコ字状の溝部を嵌入させることで、組立強度を補強することができる。
【００２０】
さらに、本発明の間仕切りユニットは、少なくとも両端部に間仕切り板を嵌入させるコ字状の溝部が形成されたカーテンフレームと、前記カーテンフレームの中間部に展張可能に配設されるカーテンとを有するカーテン吊下ユニットを備えたことを第６の特徴とする。そして、前記カーテンフレームは、解放側端部に間仕切り板を嵌入させるコ字状の溝部が形成された一組の嵌合用フレームを直線状フレームの両端部に一体に配設して形成されていることを第７の特徴とする。
【００２１】
このように、間仕切りユニットの一部材としてカーテン吊下ユニットを備えることで、窓に相当する部分や出入り口などに簡便にカーテンを吊下げることができ、小空間のレイアウトにさらなるアレンジを加えることが可能となる。
【００２２】
さらに、本発明の間仕切りユニットは、縦方向に連接辺が位置し、この連接辺の上下端をそれぞれ起点とするコ字状の切欠きにより、前記連接辺を揺動基部として開閉可能とされた扉部、および前記扉部における前記切欠きの各辺に対向する三方向を囲う外枠部が形成されてなる開閉扉と、前記外枠部に配設された扉止め受け部と、前記外枠部の内外両面にそれぞれ配設された固定ロック部、および前記固定ロック部に対応する扉部側に扉部の開閉つまみを兼ねて配設され、前記固定ロック部に係止可能な可動ロック部から構成されたロック機構とを有する出入り口用間仕切り板を備えたことを第８の特徴とする。
【００２３】
前記出入り口用間仕切り板は、前述の間仕切り板と同様に連設されて閉空間を構成する一部となる。この出入り口用間仕切り板の開閉扉の作用を説明すると、入室者は、開閉つまみを兼ねた可動ロック部を把持して入室し、開閉扉を閉じて扉止め受け部に当接させた状態で、この可動ロック部を外枠部の内面に配設された固定ロック部に係止させる。このとき、開閉扉の外側には開閉つまみである可動ロック部は位置しておらず、外枠部の外面に配設された固定ロック部は露呈した状態となっている。この状況から、他者は該小空間に入室者がいることを知ることができる。万が一、入室者の有無を把握できない場合であっても、開閉扉を開閉するための手掛かりとなる開閉つまみが小空間外には出ていないので、開閉扉を開くことができない。よって、小空間内のプライバシーは保護されることとなる。
【００２４】
また、退室するときは、入室者は、前記可動ロック部の外枠部の内面に配設された固定ロック部との係止を解除し、前記可動ロック部を把持して退室し、開閉扉を閉じて扉止め受け部に当接させた状態で、この可動ロック部を外枠部の外面に配設された固定ロック部に係止させる。このとき、開閉扉の外側には開閉つまみである可動ロック部が外枠部の外面に配設された固定ロック部に係止された状態となる。この状況から、他者は該小空間に入室者がいないことを知ることができる。
【００２５】
このように、小空間の出入り口として簡易なロック機能を備えた扉部を有する出入り口用間仕切り板を配設することで、プライバシーの保護やセキュリティに関する安心感を得ることができる。
【００２６】
また、本発明の間仕切りユニットは、前記固定ロック部および可動ロック部が、鈎あるいはループが形成された平面ファスナにより構成されていることを第９の特徴とする。
【００２７】
固定ロック部および可動ロックとして平面ファスナを用いることにより、固定ロック部と可動ロック部との係止や解除を簡単に行なうことができる。
【発明の効果】
【００２８】
本発明の間仕切りユニットによれば、専門技術を要せずに、間仕切り板を簡便な方法で連接することが可能であり、前記間仕切り板を任意の平面形状に連接させて配置することで、必要数の小空間を多彩なレイアウトで簡単かつ迅速に構成することができる。
【００２９】
しかも、いわゆる３×６判（約１畳大）の、高さ寸法を十分確保できる間仕切り板を用いれば、通行者の視線もその間仕切り板によって遮ることができるので、プライバシーの侵害を防止できる。
【００３０】
また、必要に応じて、小空間の出入り口として簡易なロック機能を備えた扉部を有する間仕切りを配設することで、セキュリティに関する安心感も得ることができる。
【発明を実施するための最良の形態】
【００３１】
図１は、本発明の間仕切りユニットの第１実施形態として、簡易トイレを配設するための独立した閉空間を区画形成する場合を示す斜視図である。
【００３２】
図１に示す簡易トイレ用の間仕切りの場合、間仕切りユニット１は、厚さ１０ｍｍの紙製強化段ボール板からなる４枚の間仕切り板２、平面ファスナからなる１６本の連結ベルト３、および２種類の補強フレーム５からなる。
【００３３】
本実施形態において、前記間仕切り板２は、図２に示すように、外形状を横縦寸法を約９０ｃｍ×１８０ｃｍの矩形とする３×６判の紙製強化段ボール板である。なお、段ボール板とは、波形に成型した中芯原紙の片面または両面に板紙（ライナー）を貼り合わせたもの（ＪＩＳ  Ｚ  ０１０８）をいう。段ボール板としては、例えば、波形状に成形した中芯原紙の両面に板紙を接着した両面段ボール板や、前記両面段ボール板の片側の外面に中芯原紙ならびに板紙（以下、この組み合わせを片面段ボール板という）を接着した複両面段ボール板などを例示できるが、前記複両面段ボール板にさらに片面段ボール板を１乃至複数枚接着したものも例示することができる。そして、１ｍ四方の面積当たり４００ｇ以上の板紙を使用したものを強化段ボール板と称する。なお、本明細書中においては、前述したＪＩＳに規定されている段ボール板以外のものも段ボール板と称する。すなわち、後述する図１８（ａ）のプラスチック板本体も、便宜上、段ボール板の範疇に含めるものとする。
【００３４】
間仕切り板２の素材として紙製強化段ボールを用いることで、軽量化、低コスト化を図ることができる。また、この３×６判サイズは一般的に流通している板ものの建材サイズであるため、建築物の間仕切りとしても区画が簡単となるし、無駄な空間を残さずに区画することが可能となる。
【００３５】
そして、本実施形態においては、前記各間仕切り板２を縦長に配置した場合の側辺（長辺）および端辺（短辺）には、複数枚の間仕切り板２を結束する際に平面ファスナからなる連結ベルト３を貫通させる連結小孔６が、側辺には４個、端辺には２個、それぞれ所定の間隔を以て形成されている。前記連結ベルト３としての平面ファスナは、表面に多数のループが形成され、裏面に前記ループに係合しうる多数の鈎が形成されて構成されている、また、前記連結小孔６は、該間仕切り板２に上下や表裏が形成されないように、上下、左右に対象に位置が調整されて形成されている。
【００３６】
本実施形態においては、４枚の間仕切り板２のうちの１枚として、図３および図４に詳示する出入り口用間仕切り板７を用いている。前記出入り口用間仕切り板７は前述の間仕切り板２の基本構成を有し、さらに、開閉扉８、扉止め受け部９、およびロック機構１０を備えている。
【００３７】
前記開閉扉８は、出入り口用間仕切り板７の中央部に、縦方向に連接辺が位置し、この連接辺の上下端を起点とするコ字状の切欠きを形成することにより、前記連接辺を揺動基部として開閉可能とされた扉部１１と、前記扉部１１における前記切欠きの各辺に対向する三方向を囲う外枠部１２とから形成されている。前記連接辺は扉部１１の揺動基部として作用すべく、筋状に押し潰され、罫線部１３として形成されている。
【００３８】
前記外枠部１２の前記連接辺の対向辺における内側には、前記扉部１１が外方にのみ開き、区画された小空間内には開かないようにするための扉止め受け部９が形成されている。
【００３９】
そしてさらに、前記外枠部１２の前記連接辺の対向辺には、前記ロック機構１０を構成する固定ロック部１４が形成されている。本実施形態において、前記ロック機構１０は前記外枠部１２の前記連接辺の対向辺に２箇所形成されており、該配設箇所は前記扉止め受け部９に切欠き部１５が形成されている。図５乃至図８に詳示するように、各ロック機構１０は、該間仕切り板２の外面に配設された平面ファスナからなる外側固定ロック部１４Ａ、該間仕切り板２の内面に配設された平面ファスナからなる内側固定ロック部１４Ｂ、および前記固定ロック部１４に対応する扉部１１側の位置に、該扉部１１の開閉つまみ１６を兼ねて配設され前記両固定ロック部１４Ａ、１４Ｂに接合可能な他の平面ファスナからなる可動ロック部１７から構成されている。
【００４０】
本実施形態において、前記外側固定ロック部１４Ａおよび内側固定ロック部１４Ｂは、図５乃至図８に詳示するように、前記扉止め受け部９に形成された切欠き部１５に対応する外枠部１２に貫通孔１８を形成し、この貫通孔１８を通して前記外枠部１２に平面ファスナを巻回することによって形成されている。すなわち、前記外側固定ロック部１４Ａおよび内側固定ロック部１４Ｂは、鈎あるいはループが形成された平面ファスナにより構成されている。
【００４１】
そして、前記可動ロック部１７は、図５乃至図８に詳示するように、前記扉部１１のこれに相対する位置にも貫通孔１８を形成し、この貫通孔１８を通して前記扉部１１に平面ファスナの一端部を巻回させて固定し、他端部は、前記外側固定ロック部１４Ａおよび内側固定ロック部１４Ｂに対して接合可能でありとともに把持可能な長さを有する舌片部１９として形成されている。このとき、前記舌片部１９は前記両固定ロック部１４Ａ、１４Ｂとしての平面ファスナに接合可能に、ループあるいは鈎が形成された平面ファスナを表裏面とするようにして形成されている。
【００４２】
また、本実施形態の連結ベルト３としての平面ファスナは、幅２０ｍｍ、長さ２０ｃｍ〜３０ｃｍに形成されている。このように、連結ベルト３として平面ファスナを用いることにより、部材の軽量化、低コスト化の他、組み立て（結束）作業を簡便なものとすることができる。
【００４３】
さらに、前記補強フレーム５は、図１に示すように、コ字状の溝部２０が形成された合成樹脂製の補強部材である。前記溝部２０は前記紙製強化段ボール板の厚さ方向となる幅寸法を１０ｍｍに形成されている。そして、本実施形態においては、２枚の間仕切り板２の一側辺同士を突き合わせて９０°に形成されたコーナ部を構成する前記間仕切り板２の上辺または下辺に前記溝部２０を嵌入させて使用する８個のＬ字型の連結部補強フレーム５ａと、間仕切り板２の上辺あるいは下辺に嵌入させて使用する４本のＩ字型の間仕切り板補強フレーム５ｂとを備えている。
【００４４】
そして、本実施形態の間仕切りユニット１は、平面形状９０ｃｍ四方の四角形を形成するように、４枚の間仕切り板２を配置し、連結させる間仕切り板２同士を前記連結ベルト３を用いて連結させる。すなわち、前記側辺を互いに突き合わせるようにして配置された２枚の間仕切り板２の対応する連結小孔６に連結ベルト３としての平面ファスナを通し、該２枚の間仕切り板２が９０°のコーナ部を形成するように、順次、連結させる（連結角度９０°のＬ字連結）。
【００４５】
本実施形態における各々の間仕切り板２には自立機構は配設されていないが、複数枚の間仕切り板２を組み合わせ、１以上のコーナ部を形成することで、交差する方向に位置する間仕切り板同士がお互いを支承し合うことで起立する。
【００４６】
続いて、９０°のコーナ部を構成する前記間仕切り板２の連結部における上辺および下辺に、Ｌ字型の前記連結部補強フレーム５ａの前記溝部２０を嵌入させる。また、前記出入り口用間仕切り板７およびこれに対向して配置される間仕切り板２の上辺および下辺には、前記間仕切り板補強フレーム５ｂを嵌入させる。このように、間仕切り板２の上辺あるいは下辺におけるコーナ部などの要部に補強フレーム５のコ字状の溝部２０を嵌め込むことで、組立強度を補強することができる。
【００４７】
ここで、出入り口用間仕切り板７の開閉扉８とその開閉扉８の扉部１１に配設されたロック機構１０の作用を説明する。なお、図５は、小空間の外側から見た前記ロック機構１０の構成を示す斜視図であり、前記開閉扉８の扉部１１を開いた状態を示す説明図である。図６は、小空間の外側から見た前記ロック機構１０を示す斜視説明図であり、前記開閉扉８の扉部１１を閉じて、小空間に入室者が居ない、空室状態を示す説明図である。また、図７は、小空間の内側から見た前記ロック機構１０の構成を示す斜視図であり、前記開閉扉８の扉部１１を閉じる状態を示す説明図である。そして、図８は、小空間の内側から見た前記ロック機構１０を示す斜視説明図であり、前記開閉扉８の扉部１１を閉じてロック機構１０を作用させた状態を示す説明図である。
【００４８】
入室者は、図５に示す状態から、開閉つまみ１６を兼ねた可動ロック部１７の舌片部１９を把持して小空間内に入室し、扉部１１を閉じて扉止め受け部９に当接させた状態（図７参照）で、可動ロック部１７の前記舌片部１９を構成する平面ファスナを内側固定ロック部１４Ｂを構成する平面ファスナに接合させ、係止させる（図８参照）。このとき、開閉扉８の外側には開閉つまみ１６である前記舌片部１９は位置しておらず、外側固定ロック部１４Ａはその係止面を露呈させた状態となっている。この状況から、他者は該小空間に入室者がいることを知ることができる。万が一、入室者の有無を把握できない場合であっても、扉部１１を開閉するための開閉つまみ１６、すなわち舌片部１９が小空間外には出ていないので、扉部１１を開くことはできない。
【００４９】
また、退室するときは、入室者は、図８に示す状態から、前記可動ロック部１７の舌片部１９と前記内側固定ロック部１４Ｂとの接合を解除し（図７参照）、開閉つまみ１６としての前記舌片部１９を把持して退室し、扉部１１を閉じて扉止め受け部９に当接させる。そしてこの状態で、開閉つまみ１６としての前記可動ロック部１７の舌片部１９を外側固定ロック部１４Ａを構成する平面ファスナに接合させ、係止させる（図６参照）。この状況から、他者は該小空間に入室者がいないこと、つまり、空室であることを知ることができる。
【００５０】
また、例えば、前記固定ロック部１４を構成する平面ファスナを赤色、可動ロック部１７を構成する平面ファスナを黒色とするなど、両ロック部材１４、１７を構成する平面ファスナの色を異ならせることで、小空間の使用、未使用の状態をより簡単に識別可能とすることもできる。
【００５１】
このように、本実施形態の間仕切りユニット１によれば、専門技術を要せずに、間仕切り板２を簡便な方法で連接することができる。つまり、連接させる複数の仕切り板の連結小孔６に連結ベルトを通して複数枚の間仕切り板２を結束し、連結させればよく、連結作業は極めて簡単である。
【００５２】
しかも、１０ｍｍ厚の３×６判の紙製強化段ボール板の重量は約２．８キログラムと、軽量であるので、女性や子供でも取り扱いがさほど困難でなく、万が一、間仕切り板２が転倒したとしても、怪我をする危険はきわめて少なく、安全である。
【００５３】
また、間仕切り板２として、工業用に市販されている紙製強化段ボール板を用い使えば、材料コストが安価になるし、大量生産も容易である。さらに、材料としての紙製強化段ボール板は、使用後も再生が可能であり、さらに廃棄処理も焼却処分が可能であり、環境にも優しいものとなる。また、紙製強化段ボール板は硬く、堅牢であるので、洋服をハンガーにかけて間仕切り板２の上部にかけることなどもできる。
【００５４】
また、３×６判の紙製強化段ボール板のように、高さ寸法の十分な間仕切り板２を用いれば、通行者の視線もその間仕切り板２によって遮ることができるので、プライバシーの侵害を防止できる。すなわち、３×６判の板材を縦長に配設すれば、高さ寸法は１８０ｃｍとなるが、この１８０ｃｍの高さは、身長１９５ｃｍ前後の人の目の高さとなる。従って、３×６判の紙製強化段ボール板を縦長に配設することにより、ほぼ完全に視覚によるプライバシーの相互侵害を防止できる。
【００５５】
またさらに、小空間の出入り口として簡易なロック機能を備えた扉部１１を有する出入り口用間仕切り板７を配設することで、プライバシーの保護やセキュリティに関する安心感を得ることができる。
【００５６】
そして、本実施形態の間仕切りユニット１は、部品点数が少なく、かつ立体的構造の部品が殆どないので、平面状態で梱包できる。よって梱包のための無駄な空間をほとんど必要とせず、コンパクトに収納でき、保管、運搬効率も良いといった優れた効果をも有する。
【００５７】
図９は、本発明の間仕切りユニット１の第２実施形態として、独立した４畳半大の小空間を区画形成する場合を示す斜視図である。
【００５８】
図９に示す４畳半大の小空間の間仕切りの場合、間仕切りユニット１は、厚さ１０ｍｍの紙製強化段ボール板からなる１１枚の間仕切り板２、平面ファスナからなる４０本の連結ベルト３、１２本のＩ字型の短尺な連結部補強フレーム５ａ’、開口部に配設する１本のＩ字型の長尺な開口部補強フレーム５ｃ、および１組のカーテン吊下ユニット２２からなる。
【００５９】
本実施形態における間仕切り板２および連結ベルト３は、前記第１実施形態と同様の構成とし、その説明は省略する。
【００６０】
前記Ｉ字型の連結部補強フレーム５ａ’は、コ字状の溝部２０が形成された合成樹脂製のフレームである。また、前記開口部用の開口部補強フレーム５ｃは、図１０に示すような細板状の底板２１を有し、その両端部には間仕切り板２の下辺を嵌入させるコ字状の溝部２０が形成されて、長尺（少なくとも、前記間仕切り部材の横方向寸法以上を必要とし、好ましくは１２０ｃｍ程度）に形成されている。
【００６１】
そして、前記カーテン吊下ユニット２２は、直線状のカーテンフレーム２３と、前記カーテンフレーム２３の中間部に展張可能に配設されるカーテン２５とから構成されている。本実施形態においては、前記カーテンフレーム２３は、図１１に示すように、両端部に間仕切り板２を嵌入させるコ字状の溝部２０が形成された長尺な合成樹脂製のフレームで、Ｉ字型の連結部補強フレーム５ａ’と同様に構成されている。
【００６２】
また、前記カーテン２５は、カーテン本体２５ａの上端部に前記カーテンフレーム２３を貫挿させる袋部２５ｂが縫製により形成されている。
【００６３】
そして、本実施形態の間仕切りユニット１は、各間仕切り板２を縦長に用い、平面形状２７０ｃｍ四方の四角形（４畳半大）を形成する。すなわち、前記４辺の内の３辺は、３枚の間仕切り板２を直線状に配置し、残りの一辺は中央部に開口する出入り口を形成するように両側にそれぞれ１枚ずつ間仕切り板２を配置させ、その状態で連接する間仕切り板２を前記連結ベルト３を用いて連結させる。すなわち、該２枚の間仕切り板２が１８０°の直線を形成するように順次連結させる部分（連結角度１８０°のＩ字連結部分）と、該２枚の間仕切り板２が９０°のコーナ部を形成するように連結させる部分（連結角度９０°のＬ字連結部分）とを組み合わせ、前記側辺を互いに突き合わせるようにして配置された２枚の間仕切り板２の対応する連結小孔６に連結ベルト３としての平面ファスナを通して、順次、連結させる。
【００６４】
本実施形態においても、各々の間仕切り板２には自立機構は配設されていないが、複数枚の間仕切り板２を組み合わせ、１以上のコーナ部を形成することで、交差する方向に位置する間仕切り板同士がお互いを支承し合うことで、間仕切り板２として起立し、作用するものとなる。
【００６５】
続いて、２枚の間仕切り板２を１８０°の直線状に連結した、Ｉ字連結部分における前記間仕切り板２の上辺および下辺に、短尺なＩ字型の連結部補強フレーム５ａ’の前記溝部２０を嵌入させる。このように、間仕切り板２の上辺あるいは下辺における連結部に連結部補強フレーム５ａ’のコ字状の溝部２０を嵌入させることで、２枚の間仕切り板２を連結するとともに組立強度を補強することができる。
【００６６】
さらに、本実施形態においては、カーテン本体２５ａの上部に形成された袋部２５ｂに前記カーテンフレーム２３を貫挿させて、カーテン本体２５ａの上端部に前記カーテンフレーム２３の中間部を位置させる。そして、その状態で、該小空間の出入り口を構成する開口部に臨む２枚の間仕切り板２の近接対向する両端上辺に、前記カーテンフレーム２３の前記溝部２０を嵌入させ、前記２枚の間仕切り板２間にカーテンフレーム２３を懸架し、前記カーテン本体２５ａを吊下させる。また、前記開口部に臨む、間仕切り板２の近接対向する両端下辺に、開口部用の長尺なＩ字型の開口部補強フレーム５ｃの溝部２０を嵌入させ、前記開口部には開口部補強フレーム５ｃの底板２１が位置するようにする。これにより、前記開口部通過時に足を引っ掛けてしまうことを防止することができる。なお、この開口部に底板２１を配置させる構成の開口部補強フレーム５ｃに代えて、全長に亘ってコ字状の溝２０が形成された開口部補強フレーム５ｃ’を使用することも可能である（次の第３実施形態における図１３および図１５、第４実施形態における図１６および図１７参照）。その場合、出入り口に配設された補強フレーム５には、開口部通過時に足を引っかけないようにマットなどをかぶせてもよい。
【００６７】
このような構成を有する本実施形態の間仕切りユニット１は、第１実施形態の間仕切りユニット１のように出入り口用間仕切り板７を間仕切り板２として用いていないため、前記出入り口用間仕切り板７を配設したことにより得られる作用効果を得ることができないが、それ以外の構成要素から得られる作用効果は全て奏するものであり、さらに、前記カーテン吊下ユニット２２を配設したことによる特別な作用効果を得ることができる。
【００６８】
すなわち、前記カーテン吊下ユニット２２は、前記袋部２５ｂに対しカーテンフレーム２３が遊嵌された状態であるので、前記カーテン本体２５ａをカーテンフレーム２３に沿って移動させることにより、カーテン２５の展張状態を調整することができる。
【００６９】
このような構成を有するカーテン吊下ユニット２２であっても、前記カーテンフレーム２３の両端部に形成された溝部２０を、出入り口となる開口部に臨む、２枚の間仕切り板２の近接対向する両端上辺に嵌入させることで、カーテン２５を吊下することができる。
【００７０】
本実施形態の間仕切りユニット１のように、一部材としてカーテン吊下ユニット２２を備えることで、出入り口に簡便にカーテンを吊下ることができ、小空間のレイアウトにさらなるアレンジを加えることが可能となる。
【００７１】
勿論、該四畳半大の小空間の出入り口を構成する開口部にカーテン吊下ユニット２２を配設せず、出入り口を開放した構成とすることも可能である。
【００７２】
また、前記カーテン吊下ユニット２２を窓に相当する部分に用いることも可能である。その態様については、以下の第３実施形態の中で説明する。
【００７３】
図１２は、本発明の間仕切りユニット１の第３実施形態として、体育館などの大きな施設内部を複数個の小空間に間仕切る場合のレイアウトの一例を示す平面図である。このレイアウト中に示される施設は、その内部空間を前述した２つの実施形態で説明した間仕切り板（出入り口用間仕切り板７を含む）２を平面ファスナからなる連結ベルト３を用いて様々に連結するとともに、必要に応じて補強フレーム５やカーテン吊下ユニット２２を随所に配設し、広さや平面形状、用途などの異なる複数の小空間が形成されている。なお、本実施形態において用いる前記間仕切り板２は、前述の第１および第２実施形態で用いた間仕切り部材と同様に外形状を横縦寸法を約９０ｃｍ×１８０ｃｍの矩形とする３×６判の紙製強化段ボール板であるが、図１３および図１４に示すように、前記連結小孔６が、縦長とした間仕切り板２の側辺（長辺）に４個、端辺（短辺）に２個、それぞれの形成位置を調整されつつ形成されている点で異なっている。他の本実施形態の間仕切りユニット１を構成する各部材についての説明は省略する。
【００７４】
図１３は、図１２中矢印Ａに示す部分の要部拡大斜視図であり、縦長に配置され、側辺を互いに突き合わせるようにして配置された３枚の間仕切り板２の対応する連結小孔６に、連結ベルト３としての平面ファスナを通し、３枚連結で連結角度９０°および１８０°のＴ字に連結した、その連結状態を示している。
【００７５】
また、図１４は、図１２中矢印Ｂに示す勉強部屋の壁部を示す要部拡大正面図である。この図１４に示すように、本実施形態においては、１枚の間仕切り板２を横長に用い、縦長に配設された２枚の間仕切り板２間の下半分側に配設し、間仕切り板が配設されない上半分の空間を窓部として機能させている。つまり、縦長に配置された２枚の間仕切り板２の側辺（長辺）下方に形成された連結小孔６と、横長に配置された間仕切り板２の側辺（端辺）に形成された連結小孔６とを連結ベルト３としての平面ファスナにより連結させるとともに、該２枚の間仕切り板２の下辺における連結部をＩ字型の短尺な連結部補強フレーム５ａ’に嵌入させ、補強している。
【００７６】
また、前記窓部として機能する開口部に臨む間仕切り板２の近接対向する両端上辺には、カーテン吊下ユニット２２を構成し、その中間部にカーテン２５を吊下させたカーテンフレーム２３の溝部２０を嵌入させ、縦長に配置された前記２枚の間仕切り板２間にカーテンフレーム２３を懸架し、カーテン２５を吊下させている。
【００７７】
さらに、前記窓部を構成する前記横長に配置された間仕切り板２の上方に位置する端辺（長辺）には、該端辺と略同寸とされた間仕切り板補強フレーム５ｂの溝部２０を嵌入させ、該窓部を補強している。
【００７８】
このように、必要に応じて間仕切り板２を横長に配置することにより、窓に相当する部分を形成することができるばかりでなく、小空間内のさらなる間仕切りも可能となり、小空間のレイアウトにさらなるアレンジを加えることが可能となる。
【００７９】
また、図１５は図１２中矢印Ｃに示す小空間の区画状態を示す斜視説明図である。この図１５に示すように、本実施形態の間仕切りユニット１は、複数の小空間を形成する大空間の床や壁等に何等の工作を必要としないので、任意の場所に自在に間仕切りを設置し、小空間を形成することができる。なお、床や壁等に何等の工作を必要としないという点に関しては、前記第１、第２実施形態においても同様である。
【００８０】
また、本実施形態のように、災害時などの緊急時に、体育館等の大広間を間仕切りユニット１で複数の小空間に区分する場合、雑然と、無秩序に避難者を収容するより、一人当たりの占有面積を制限することできるので収容効率を上げることができ、避難所の管理統制も容易になる。  
【００８１】
また、本実施形態のように、３×６判のサイズを基準として小空間を形成すれば、３×６判サイズは１畳大であるので、該小空間内に畳を正数枚敷き詰めることができ、避難者の居住性を向上させることができるとともに、設置占有面積の計算、設計も容易となる。
【００８２】
図１６および図１７は、本発明の間仕切りユニット１の第４実施形態として、簡易な更衣室を区画形成する場合を示す斜視図である。
【００８３】
本実施形態に示す更衣室用の間仕切りの場合、間仕切りユニット１は、プラスチック板としての内部に複数の中空部を有する中空プラスチック板からなる３枚の間仕切り板２、平面ファスナからなる８本の連結ベルト３、６本のＬ字型の連結部補強フレーム５ａ、１本のＩ字型の開口部補強フレーム５ｃ’、および１組のカーテン吊下ユニット２２からなる。
【００８４】
本実施形態において、前記間仕切り板２は、厚さ寸法５ｍｍとされた、外形状の横縦寸法を約９０ｃｍ×１８０ｃｍの矩形とする３×６判の中空プラスチック板本体２９を有している。
【００８５】
プラスチック板の一態様として例示した中空プラスチック板における中空プラスチック板本体２９とは、ポリプロピレン、ポリエチレン、ポリ塩化ビニルなどのプラスチックを一体中空構造とした板状パネルの意であり、中空の態様としては、例えば、図１８（ａ）に示すように、２枚の平行なプラスチック板４１、４１間に同一方向に平行に延在する複数本の桟４１を一体に形成したプラスチック段ボール板としてもよいし、あるいは、図１８（ｂ）に示すような多数の気泡４３が内蔵された発泡性多孔状の発泡プラスチック板などを例示することができる。要は、板材の軽量化を目的として、中空構造を備えたプラスチック板を意味する。なお、必要に応じては１枚のムクのプラスチック板としてもよい。
【００８６】
このように、間仕切り板２の素材として中空プラスチック板を用いることで、部材の軽量化を図ることができ、紙製の間仕切り板２を使用する場合に比べて水分や温度に耐用を示すため反復利用が可能となり、長期的な使用を考えれば低コストとなる。また、屋外での使用にも適したものとなる。さらに、中空構造を有する板材は、この中空構造部によって遮音（消音）効果を得ることができるので、住居や事務室などを区画する場合には防音効果を期待することができる。
【００８７】
また、この３×６判サイズは一般的に流通している板ものの建材サイズであるため、建築物の間仕切りとしても区画が簡単となるし、無駄な空間を残さずに区画することが可能となる。
【００８８】
また、中空プラスチック板本体２９は、プラスチック材料により大判に形成されたシート状部材から所望の大きさの板材を切断して形成されるため、その切断部は鋭利な切り口が露呈した状態とされる。そのため、本実施形態においては、前記中空プラスチック板本体２９の各外周辺にはコ字型の、溝部２０が形成された合成樹脂製の保護フレーム３０の前記溝部２０が嵌入されており、プラスチック板として一体に形成されている。このように、中空プラスチック板本体２９の各外周辺を保護フレーム３０で被覆する構成とすることで、利用者を中空プラスチック板本体２９の切断部が露呈した状態の外周辺から保護するとともに、中空プラスチック板本体２９の反りを防止し、強度を補うことができる。例えば、本実施形態の場合、中空プラスチック板本体２９は厚さ寸法を５ｍｍのものを利用しているので、前記保護フレーム３０としては、前記中空プラスチック板本体２９の厚さ方向となる前記溝部２０の幅寸法を５ｍｍ、同方向における外形の幅寸法を１０ｍｍとする。このような寸法とすることで、前記連結部補強フレーム５ａとして、前述の第１実施形態等で用いたＬ字型の連結部補強フレーム５ａを利用することができる。
【００８９】
さらに、本実施形態においては、前記中空プラスチック板本体２９として、白色、黄色、青色などの所望色に着色され、半透明状態とされた板材を用いる。一般的に、白色半透明の中空プラスチック板本体２９は、他の色に着色された半透明の中空プラスチック板本体２９よりも透光性の点で優れている。よって、所望の着色がされた半透明の中空プラスチック板本体２９を有するプラスチック板を間仕切り板２に採用することで、該半透明の中空プラスチック板本体２９を有するプラスチック板の配設面を採光面とすることができる。なお、半透明の中空プラスチック板本体２９を有するプラスチック板は、更衣室を構成する３枚の間仕切り板２の内、１枚以上に利用されていればよい。また、更衣室として利用する場合、男性用の更衣室と、女性用の更衣室を色で判別させるために、例えば、男性用として、青色に着色され、半透明とされた中空プラスチック板本体２９を有するプラスチック板を使用して更衣室を形成し、女性用として、赤色に着色され、半透明とされた中空プラスチック板本体２９を有するプラスチック板を使用するなどの工夫を施すことができる。
【００９０】
さらに、本実施形態においては、複数枚の間仕切り板２を結束する際に、平面ファスナからなる連結ベルト３を貫通させる連結小孔６が、前記各間仕切り板２を縦長に配置した場合の側辺（長辺）には４個、端辺（短辺）には２個、それぞれ所定の間隔を以て形成されている。前記連結小孔６は、該間仕切り板２に上下や表裏が形成されないように、上下、左右に対象に位置が調整されて形成されている。なお、前記連結ベルト３としての平面ファスナおよび８個のＬ字型の連結部補強フレーム５ａは、前記第１実施形態と同様の構成とする。
【００９１】
そして、前記カーテン吊下ユニット２２は、図１９の（ａ）乃至（ｃ）に示すように、解放側端部に間仕切り板２を嵌入させるコ字状の、溝部２０が形成された合成樹脂製の一組のＬ字状の嵌合用フレーム３１を合成樹脂製の直線状フレーム３２の両端部に一体に形成し、全体平面形状をコ字型とされたカーテンフレーム２３と、前記直線状フレーム３２の中間部に展張可能に配設されるカーテン２５とを有している。前記カーテン２５は、前記第２実施形態と同様の構成としてその説明は省略する。
【００９２】
そして、本実施形態の間仕切りユニット１は、３枚の間仕切り板２を縦長に用い、平面形状９０ｃｍ四方の四角形（半畳大）をコ字状に囲うように配置し、連結させる間仕切り板２同士を前記連結ベルト３を用いて連結させる。すなわち、前記側辺を互いに突き合わせるようにして配置された２枚の間仕切り板２の対応する連結小孔６に連結ベルト３としての平面ファスナを通し、該２枚の間仕切り板２が９０°のコーナ部を形成するように、順次、連結させる（連結角度９０°のＬ字連結）。
【００９３】
本実施形態における各々の間仕切り板２においても自立機構は配設されていないが、複数枚の間仕切り板２を組み合わせ、１以上のコーナ部を形成することで、交差する方向に位置する間仕切り板２同士がお互いを支承し合うことで間仕切り板２として起立し、作用するものとなる。
【００９４】
続いて、９０°のコーナ部を構成する前記間仕切り板２の上辺および下辺には前記Ｌ字型の連結部補強フレーム５ａの前記溝部２０を嵌入させる。また、本実施形態においては、該小空間の出入り口を構成する２枚の間仕切り板２の解放側下辺にも、前記Ｌ字型の連結部補強フレーム５ａの溝部２０を嵌入させ、両連結部補強フレーム５ａ間に、前記１本のＩ字型の開口部補強フレーム５ｃ’を配設する。このように、間仕切り板２の上辺あるいは下辺におけるコーナ部などの要部に補強フレーム５のコ字状の溝部２０を嵌め込むことで、組立強度を補強することができる。なお、前記出入り口の下方に配設された開口部補強フレーム５ｃ’には、開口部通過時に足を引っかけないようにマットなどをかぶせてもよい。また、前記カーテンフレーム２３と同じ構成のものを利用してもよい。さらに、間仕切りユニットを更衣室として使用する本実施形態の場合、小空間内の床部には、半畳大のカーペット等を敷設してもよい。
【００９５】
さらに、本実施形態においては、カーテン本体２５ａの上部に形成された袋部２５ｂに前記直線状フレーム３２を貫挿させて、カーテン本体２５ａの上端部に前記直線状フレーム３２の中間部を位置させる。そして、その状態で、該小空間の出入り口を構成する２枚の間仕切り板２の解放側上辺にもそれぞれ前記嵌合用フレーム３１の前記溝部２０を嵌入させ、前記２枚の間仕切り板２間に直線状フレーム３２を懸架し、前記カーテン本体２５ａを吊下させる。
【００９６】
すなわち、前記カーテン吊下ユニット２２は、図１９（ｃ）に示すように、前記袋部２５ｂに対し直線状フレーム３２が遊嵌された状態であるので、前記カーテン本体２５ａを直線状フレーム３２に沿って移動させることにより、カーテン２５の展張状態を調整することができる。
【００９７】
このような構成を有する本実施形態の間仕切りユニット１は、前述の各実施形態の間仕切りユニットと同様に、専門技術を要せずに、間仕切り板２を簡便な方法で連接することができる。つまり、連接させる複数の仕切り板２の連結小孔６に連結ベルト３を通して複数枚の間仕切り板２を結束し、連結させればよく、連結作業は極めて簡単である。
【００９８】
また、５〜１０ｍｍ厚の３×６判の中空プラスチック板本体２９の重量は、前述の１０ｍｍ厚の紙製強化段ボール板よりも軽量であるので、女性や子供でも取り扱いがさほど困難でなく、万が一、間仕切り板２が転倒したとしても、怪我をする危険はきわめて少なく、安全である。
【００９９】
また、間仕切り板２として、工業用に市販されている中空プラスチック板本体２９を使えば、材料コストが安価になるし、大量生産も容易である。さらに、紙製の間仕切り板を使用する場合に比べて水分や温度に耐用を示すので屋外での利用に最適であり、反復利用が可能となるので、長期的な使用を考えれば低コストとなりうる。また、本実施形態の間仕切り板２は、コ字状の溝部２０が形成された保護フレーム３０の前記溝部２０を中空プラスチック板本体２９の外周辺に嵌入させて一体に形成されているので、利用者を中空プラスチック板本体２９の切断部が露呈した状態の外周辺から保護するとともに、中空プラスチック板本体２９の反りを防止し、強度を補うことができる。
【０１００】
さらに、本実施形態においては、前記中空プラスチック板本体２９として、白色、黄色、青色などの所望色に着色され、半透明状態とされた板材を用いているので、該半透明の中空プラスチック板本体２９を有する間仕切り板２の配設面を採光面として利用することができ、明るく、清潔かつ圧迫感のない環境を提供することができる。また、中空プラスチック板本体２９のカラーを選択することで、様々なデザイン効果を得、利用態様のバリエーションを広げることができる。
【０１０１】
そして、本実施形態の間仕切りユニット１は、部品点数が少なく、かつ立体的構造の部品が殆どないので、平面状態で梱包できる。よって梱包のための無駄な空間をほとんど必要とせず、コンパクトに収納でき、保管、運搬効率も良いといった優れた効果をも有する。
【０１０２】
なお、本発明は、前述した各実施形態に限定されるものではなく、必要に応じて種々の変更が可能である。
【０１０３】
例えば、間仕切り板の連結角度や１つの連結ベルトで連結する枚数に制限はなく、全く自由である。つまり、間仕切り板２は２枚連結で連結角度１８０°のＩ字連結、２枚連結で連結角度９０°のＬ字連結、３枚連結で連結角度９０°のＴ字、４枚連結で連結角度９０°の十字連結ができるが、その他にも五枚以上任意の板を放射状に連結させてもよい。また、その連結角度に合わせて、前記補強フレーム５の形状も、既に実施形態中で説明したI字型、Ｌ字型の他、Ｔ字型、十字型、放射型などを各種用意することができる。また、小空間のサイズは、簡易トイレや更衣室用などの半畳大から、４畳半大、６畳大、８畳大などと自由であるし、その小空間の平面形状も矩形に限らず、３角形、５角形、６角形などの多角形、星型などの多様な形状に仕切ることができる。
【０１０４】
また、複数の間仕切り板を九十九折り状に連結させて自立させ、任意の長さの屏風状衝立を間仕切りとして用いることもできる。
【０１０５】
さらに、使用目的に応じて、間仕切り板として、ベニヤ板、ムクの合成樹脂板などを用いることにより、各種イベントや展示会、あるいは選挙事務所のような仮設的な事務所の間仕切りなどの用途に耐え得るユニットとすることができる。
【０１０６】
また、間仕切り板は矩形であればよく、その大きさは本実施形態で用いた３×６判にかぎらない。例えば、窓部用などの用途に応じて、半畳サイズの間仕切り板を用意してもいい。
【０１０７】
さらに、前記実施形態においては、Ｉ字型の補強フレームとして、予め所望の長さ（短尺、長尺）に切断されたものを用意したが、間仕切りユニットとして販売する際には、切断可能な材料からなる長尺な補強フレームを部品として複数本組み入れてユニットとし、組立ての際に作業者は必要長に切断し、適宜、直線状の補強フレームとして使用するようにしてもよい。また、前記補強フレームを構成する材料についても合成樹脂材に限らず、例えば、木製であってもよい。
【０１０８】
なお、段ボール板の板紙の材質が１ｍ四方の面積で４００ｇ以下の一般の段ボール板を積層することによって強化段ボール板と同じ効果を得ることができる。
【０１０９】
またさらに、前記カーテンフレームにおける１組の嵌合用フレームは、第４実施形態のようにＬ字状に形成されてる場合に限らない。例えば、直線状フレームの一端側にはＬ字状に形成された嵌合用フレームが配設され、他端側にはＩ字状に形成された嵌合用フレームが配設されてもよい。この場合、前記Ｌ字状の嵌合用フレームとＩ字状の嵌合用フレームが前記１組の嵌合用フレームということになる。
【０１１０】
さらに、ロック機構の配設数についても第１実施形態のように２箇所に限定されない。
【図面の簡単な説明】
【０１１１】
【図１】本発明の間仕切りユニットの第１実施形態として、独立した半畳大の閉空間を区画形成する場合を示す斜視図
【図２】第１実施形態における間仕切り板の正面図
【図３】第１実施形態における出入り口用間仕切り板の開閉扉を閉じた状態を示す正面図
【図４】第１実施形態における出入り口用間仕切り板の開閉扉を開いた状態を示す正面図
【図５】第１実施形態におけるロック機構の小空間の外側から見た構成を示す斜視図であり、開閉扉の扉部を開いた状態を示す説明図
【図６】第１実施形態におけるロック機構の小空間の外側から見た構成を示す斜視図であり、開閉扉の扉部を閉じて、小空間に入室者が居ない、空室状態を示す説明図
【図７】第１実施形態におけるロック機構の小空間の内側から見た構成を示す斜視図であり、開閉扉の扉部を閉じる状態を示す説明図
【図８】第１実施形態におけるロック機構の小空間の内側から見た構成を示す斜視図であり、開閉扉の扉部を閉じてロック機構を作用させた状態を示す説明図
【図９】本発明の間仕切りユニットの第２実施形態として、独立した４畳半大の小空間を区画形成する場合を示す斜視図
【図１０】開口部用の補強フレームの構成を説明するための斜視図
【図１１】カーテン吊下ユニットの要部構成を示す斜視図
【図１２】本発明の間仕切りユニットの第３実施形態として、大空間を複数個の小空間に間仕切る場合のレイアウトの一例を示す平面図
【図１３】図１２中矢印Ａに示す連結部分の要部拡大斜視図
【図１４】図１２中矢印Ｂに示す壁部の要部拡大正面図
【図１５】図１２中矢印Ｃに示す小空間の区画状態を示す斜視説明図
【図１６】本発明の間仕切りユニットの第４実施形態として、独立した半畳大の小空間を区画形成し、カーテンを展張した状態を示す斜視図
【図１７】図１６の間仕切りユニットにおいて、カーテンの展張を解除した状態を示す斜視図
【図１８】（ａ）（ｂ）は中空プラスチック板本体の中空状態の２つの例を示す説明図
【図１９】（ａ）はカーテンフレームの構成を説明するための平面図、（ｂ）は同底面図、（ｃ）はカーテンを貫挿した状態を説明するための正面図
【符号の説明】
【０１１２】
１  間仕切りユニット
２  間仕切り板
２ａ  間仕切り板本体
３  連結ベルト（平面ファスナ）
５  補強フレーム
５ａ  （Ｌ字型の）連結部補強フレーム
５ａ’  （Ｉ字型の）連結補強フレーム
５ｂ  間仕切り板補強フレーム
５ｃ  （開口部に底板が位置する構成の）開口部補強フレーム
５ｃ’  （開口部に溝部が位置する構成の）開口部補強フレーム
６  連結小孔
７  出入り口用間仕切り板
８  開閉扉
９  扉止め受け部
１０  ロック機構
１１  扉部
１２  外枠部
１３  罫線部
１４  固定ロック部
１４Ａ  外側固定ロック部
１４Ｂ  内側固定ロック部
１５  切欠き部
１６  開閉つまみ
１７  可動ロック部
１８  貫通孔
１９  舌片部
２０  溝部
２１  底板
２２  カーテン吊下ユニット
２３  カーテンフレーム
２４  溝部
２５  カーテン
２５ａ  本体
２５ｂ  袋部
２６  吊下用フック
２７  スライダー
２８  レール
２９  中空プラスチック板本体
３０  保護フレーム
３１  嵌合用フレーム
３２  直線状フレーム
４１  プラスチック板
４２  桟
４３  気泡
【図１】
2007113366.tif 000003
【図２】
2007113366.tif 000004
【図３】
2007113366.tif 000005
【図４】
2007113366.tif 000006
【図５】
2007113366.tif 000007
【図６】
2007113366.tif 000008
【図７】
2007113366.tif 000009
【図８】
2007113366.tif 000010
【図９】
2007113366.tif 000011
【図１０】
2007113366.tif 000012
【図１１】
2007113366.tif 000013
【図１２】
2007113366.tif 000014
【図１３】
2007113366.tif 000015
【図１４】
2007113366.tif 000016
【図１５】
2007113366.tif 000017
【図１６】
2007113366.tif 000018
【図１７】
2007113366.tif 000019
【図１８】
2007113366.tif 000020
【図１９】
2007113366.tif 000021